(57)【要約】【課題】  キャラクタや表示さらには装飾紋様等の変更が可能で、分別の際のごみの内容物表示やごみ箱の積層にも容易に対応が可能な装飾ごみ箱を提供することを目的とする。【解決手段】  上方が開放された適宜形状のごみ箱１において、該ごみ箱１に装飾部材１３を着脱自在に添設して係止したことにより、１つの種類のごみ箱１を多数準備して多種類の装飾部材１３と組み合わせることで、ごみ箱１として多種類の装飾紋様を楽しんだり、ごみの分別の識別に利用することができる。【選択図】  図１
2007091355.tif 000002
【特許請求の範囲】
【請求項１】
上方が開放された適宜形状のごみ箱において、該ごみ箱に装飾部材を着脱自在に添設して係止したことを特徴とする装飾ごみ箱。
【請求項２】
前記装飾部材がごみ箱を重畳して収容するように構成されるとともに、ごみ箱の上部に形成した鍔部に装飾部材の上部に形成した鍔部を係合させるように構成したことを特徴とする請求項１に記載の綱装飾ごみ箱。
【請求項３】
前記装飾部材がごみ箱前面に設置されるとともに、前記装飾部材に把手部材を形成したことを特徴とする請求項１に記載の装飾ごみ箱。
【請求項４】
前記装飾部材が装飾シートから構成され、該装飾シートをごみ箱の胴部周囲に添設して巻き付けるとともに、該装飾シートの両端部を前記ごみ箱の胴部に形成した集結部に着脱自在に係止したことを特徴とする請求項１に記載の装飾ごみ箱。
【請求項５】
前記ごみ箱の上下にはそれぞれフランジが形成されるとともに、これらフランジ間の胴部が少なくとも前記装飾シートの厚みに相当する段差を有して小径構成とされたことを特徴とする請求項４に記載の装飾ごみ箱。
【請求項６】
前記集結部は所定距離をおいて対向する一対の係止溝を備えるとともに、これら一対の係止溝にはそれぞれ前記装飾シートの両端部に連結された端部棒が係止され、これら端部棒間に押え板を挿入することで、前記係止溝からの端部棒の離脱を防止するように構成したことを特徴とする請求項４または５に記載の装飾ごみ箱。
【請求項７】
前記装飾部材を透明または半透明からなるシートにより２重に構成するとともに、これらシート間に写真、模様、表示用語等を付したフィルム体を挿入・収納したことを特徴とする請求項１から６のいずれかに記載の装飾ごみ箱。
【請求項８】
前記押え板の表面に写真、模様、表示用語、係着テープ、ごみ箱を併置するための横連結片等を配設したことを特徴とする請求項４から７のいずれかに記載の装飾ごみ箱。
【請求項９】
前記ごみ箱を複数準備し、上下または横方向に、あるいは上下および横方向に積層可能に構成したことを特徴とする請求項８に記載の装飾ごみ箱。
【発明の詳細な説明】
【技術分野】
【０００１】
本発明は、分別に適した上方が開放された適宜形状のごみ箱に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、一般に、ごみ箱はごみを廃棄・収納することから、汚いものとしてそれらの設置場所が限られている。そのようなことから、ごみの分別の前段階として、特に子供たちが楽しく進んでごみを捨てることを可能にしたごみ箱が提案された（例えば下記特許文献１参照）。
【特許文献１】特開平９−７７２０１号公報（公報図１参照）
【発明の開示】
【発明が解決しようとする課題】
【０００３】
前記特許文献１に開示されたごみ箱は、図７に示すように、ごみ箱外郭体１１０の正面部に施されたキャラクタ表示部１２０と、ペダル部１３２と、ごみ投入扉１４０とともにキャラクタの一部を構成するごみ仮収納部（ごみ移送部材１４６の一部）を形成し、内側位置と外側位置との間を移動可能に設けられ、外側位置に位置する際に仮収納部に仮収納されたごみを内側位置に戻る際にごみ収納体１１４の中に移送するごみ移送部材１４６と、ペダル部材１３２が踏込み位置に移動する際にごみ移送部材１４６を外側位置へと移動させ、ペダル部１３２が非踏込み位置に戻る際にごみ移送部材１４６を内側位置へと戻らせる移動連動手段（図示省略）と、スピーカ１７６と、使用者が所定距離以内に存在するか否かを感知する熱センサ等のセンサ１７４と、ペダル部１３２が踏込み位置まで移動する時点からごみ移送部材１４６が内側位置へ戻るまでの間や、センサ１７４によって使用者を感知した際にスピーカ１７６に音声を発生させる音声出力回路とを有する。
【０００４】
このような構成により、キャラクタ表示部１２０に施されたキャラクタにより、視覚的にアピールすることで、特に子供たちの注意を引きつけてごみ捨てを促進し、さらに、キャラクタの一部を構成するごみ移送部材１４６が内側位置と外側位置との間を移動するため、使用者は楽しく進んでごみを入れようとする。また、ペダル部１３２の踏動とスピーカとが連動しているので、聴覚的にもごみ捨てを効果的に促進させることができることとなった。しかしながら、このような従来例にあって、１つのごみ箱外郭体１１０は１つのごみ収納体１１４に対応するだけであって、多種類のごみの分別には不向きである上、表示されるキャラクタ等についても、１度設定されると変更することができなかった。
【０００５】
そこで本発明は、前記従来のごみ箱の諸課題を解決して、キャラクタや表示さらには装飾紋様等の変更が可能で、分別の際のごみの内容物表示やごみ箱の積層にも容易に対応が可能な装飾ごみ箱を提供することを目的とする。
【課題を解決するための手段】
【０００６】
そのため本発明は、上方が開放された適宜形状のごみ箱において、該ごみ箱に装飾部材を着脱自在に添設して係止したことを特徴とする。また本発明は、前記装飾部材がごみ箱を重畳して収容するように構成されるとともに、ごみ箱の上部に形成した鍔部に装飾部材の上部に形成した鍔部を係合させるように構成したことを特徴とする。また本発明は、前記装飾部材がごみ箱前面に設置されるとともに、前記装飾部材に把手部材を形成したことを特徴とする。また本発明は、前記装飾部材が装飾シートから構成され、該装飾シートをごみ箱の胴部周囲に添設して巻き付けるとともに、該装飾シートの両端部を前記ごみ箱の胴部に形成した集結部に着脱自在に係止したことを特徴とする。また本発明は、前記ごみ箱の上下にはそれぞれフランジが形成されるとともに、これらフランジ間の胴部が少なくとも前記装飾シートの厚みに相当する段差を有して小径構成とされたことを特徴とする。また本発明は、前記集結部は所定距離をおいて対向する一対の係止溝を備えるとともに、これら一対の係止溝にはそれぞれ前記装飾シートの両端部に連結された端部棒が係止され、これら端部棒間に押え板を挿入することで、前記係止溝からの端部棒の離脱を防止するように構成したことを特徴とする。また本発明は、前記装飾部材を透明または半透明からなるシートにより２重に構成するとともに、これらシート間に写真、模様、表示用語等を付したフィルム体を挿入・収納したことを特徴とする。また本発明は、前記押え板の表面に写真、模様、表示用語、係着テープ、ごみ箱を併置するための横連結片等を配設したことを特徴とする。また本発明は、前記ごみ箱を複数準備し、上下または横方向に、あるいは上下および横方向に積層可能に構成したことを特徴とするもので、これらを課題解決のための手段とするものである。
【発明の効果】
【０００７】
本発明では、上方が開放された適宜形状のごみ箱において、該ごみ箱に装飾部材を着脱自在に添設して係止したことにより、１つの種類のごみ箱を多数準備して多種類の装飾部材と組み合わせることで、ごみ箱として多種類の装飾紋様を楽しんだり、ごみの分別の識別に利用することができる。
【０００８】
また、前記装飾部材がごみ箱を重畳して収容するように構成されるとともに、ごみ箱の上部に形成した鍔部に装飾部材の上部に形成した鍔部を係合させるように構成した場合は、ごみ箱自体を精密かつ装飾的に製作しなくても、装飾部材がごみ箱を重畳して収容することで、全体的に美的効果が得られる他、ごみ箱の分別ごみ識別機能や保護機能を向上させることができる。しかも、鍔部同士の係合により簡便に装飾部材をごみ箱に装着できる。さらに、前記装飾部材がごみ箱前面に設置されるとともに、前記装飾部材に把手部材を形成した場合は、例えば、引出し式ごみ箱等に採用して、ごみ箱前面の装飾効果を向上させて、ごみ箱の分別ごみ識別機能を向上するとともに、把手機能を付加することもできる。
【０００９】
さらにまた、前記装飾部材が装飾シートから構成され、該装飾シートをごみ箱の胴部周囲に添設して巻き付けるとともに、該装飾シートの両端部を前記ごみ箱の胴部に形成した集結部に着脱自在に係止した場合は、複数紋様の装飾シートを選択的にごみ箱の胴部に添設して巻き付けてその両端部を集結部に係止できるので、１つのごみ箱にても、複数種類の装飾紋様を楽しむことができる。また、前記ごみ箱の上下にはそれぞれフランジが形成されるとともに、これらフランジ間の胴部が少なくとも前記装飾シートの厚みに相当する段差を有して小径構成とされた場合は、上下フランジ間の胴部に装飾シートを添設して巻き付ける際に、上下のフランジと胴部との段差により装飾シートの上下の動きが規制されて、確実かつ正確に装飾シートをごみ箱の胴部にセットすることができる。
【００１０】
さらに、前記集結部は所定距離をおいて対向する一対の係止溝を備えるとともに、これら一対の係止溝にはそれぞれ前記装飾シートの両端部に連結された端部棒が係止され、これら端部棒間に押え板を挿入することで、前記係止溝からの端部棒の離脱を防止するように構成した場合は、押え板の両端部に端部棒の断面に適合する押え溝を形成する等して、押え板の挿入だけで、装飾シートの両端部の端部棒の離脱ひいては押え板の脱落等を効果的に抑制することが可能となる。
【００１１】
さらにまた、前記装飾部材を透明または半透明からなるシートにより２重に構成するとともに、これらシート間に写真、模様、表示用語等を付したフィルム体を挿入・収納した場合は、装飾シートそのものは交換しなくても、それらの間に挿入・収納される写真、模様、表示用語等を付したフィルムのみを交換するだけで、その装飾機能を限りなく広げることができる。また、前記押え板の表面に写真、模様、表示用語、係着テープ、ごみ箱を併置するための横連結片等を配設した場合は、ごみ箱の集結部に挿入される押え板を利用し、写真、模様、表示用語、係着テープ、横連結片等を設置した交換用の押え板を準備することで、さらなる表示機能の付加と、複数のごみ箱の併置しての横積層を可能にし、分別ごみ箱としての機能性の付加が可能となる。
【００１２】
さらに、前記ごみ箱を複数準備し、上下または横方向に、あるいは上下および横方向に積層可能に構成した場合は、ごみ投入穴を利用する投入枠体等を介したごみ箱の上下の積層や、前記押え板に設置した横連結片等を介したごみ箱の併置しての横積層が可能となって、立体的なごみの分別機能が飛躍的に向上する。
【発明を実施するための最良の形態】
【００１３】
以下、本発明の実施例を図面に基づいて詳細に説明する。図１は本発明の装飾ごみ箱の第１実施例を示すもので、ごみ箱の全体分解斜視図および要部断面図、図２は本発明の装飾ごみ箱の第２実施例を示すもので、ごみ箱の全体分解斜視図および全体組立斜視図、図３および図４は本発明の装飾ごみ箱の第３実施例を示すもので、図３は本発明の装飾ごみ箱の第３実施例を示すもので、ごみ箱の全体分解斜視図および要部断面図ならびに装飾シートの斜視図、図４はごみ箱の上下積層形態例の側面図、図５は本発明の装飾ごみ箱の第４実施例を示す平面図および側面図、図６は本発明の装飾ごみ箱の第５実施例を示す要部斜視図である。本発明の分別式ごみ箱の基本的な構成は、図１に示すように、上方が開放された適宜形状のごみ箱１において、該ごみ箱１に装飾部材１３を着脱自在に添設して係止したことを特徴とする。
【実施例１】
【００１４】
図１は本発明の装飾ごみ箱の第１実施例を示すもので、ごみ箱の全体分解斜視図および要部断面図である。図示に示した例では、ごみ箱１の平面視形状は円形であるが、楕円形あるいは多角形さらには方形であってもよい。ごみ箱１は有底胴部と上部に垂下鍔部２Ａを形成した上部フランジ２を有する。装飾部材１３はごみ箱１を重畳して収容するごみ箱収納部１３Ｄ（ごみ箱収納部１３Ｄは有底でも底抜け状でもよい）と上部に内外の周鍔部１３Ｂ、１３Ａとその間に形成された係合周溝１３Ｃとを有する。装飾部材１３はシリコンゴム等から構成されて、種々の写真、模様、表示用語等が施される。装飾部材１３の胴部を透明または半透明からなるシートにより２重に構成した装飾シートを採用し、これらシート間に写真、模様、表示用語等を付したフィルム体を挿入・収納することもできる。そのような構成により、装飾部材１３そのものは交換しなくても、それらの間に挿入・収納される写真、模様、表示用語等を付したフィルムのみを交換するだけで、その装飾機能を限りなく広げることができる。
【００１５】
図１の矢印に示したように、ごみ箱１を重畳して収容する形態にて重合されたごみ箱１と装飾部材１３との係合は、ごみ箱１の上部に垂下形成した周状の垂下鍔部２Ａに対して、装飾部材１３の上部に形成した内外の周状の鍔部１３Ｂ、１３Ａの間に形成された係合周溝１３Ｃを係合してなされる。シリコンゴム等の軟質材からなる装飾部材１３の外周鍔部１３Ａを押し広げて、ごみ箱１の垂下鍔部２Ａを係合周溝１３Ｃに係合させることで行う。かくして、ごみ箱１自体を精密かつ装飾的に製作しなくても、装飾部材１３がごみ箱１を重畳して収容することで、全体的に美的効果が得られる他、表示用語等を付した装飾部材を１３を採用してごみ箱１の分別ごみ識別機能を向上させたり、シリコンゴム等の軟質材からなる装飾部材１３によるごみ箱１の保護機能を向上させることができる。しかも、鍔部同士の係合により簡便に装飾部材１３をごみ箱１に装着できる。
【実施例２】
【００１６】
図２は本発明の装飾ごみ箱の第２実施例を示すもので、ごみ箱の全体分解斜視図および全体組立斜視図である。図２（Ａ）に示すように、本実施例では、例えば引出し式ごみ箱１の前面に装飾部材１３が装着される。平面視方形状で有底状のごみ箱１の前面近傍の側面に一対の例えば上下方向（左右方向も可能）に係止溝８、９が刻設される。一方、装飾部材１３の板部には装飾部３３Ｆが形成され、上部には把手孔３３Ｄを設けた把手部３３Ｃが形成される。前記板部の両側には係合突条３３Ｅ（右側は見えない）が曲折形成される。該係合突条３３Ｅが、前記ごみ箱１の係止溝８、９に上方または下方からスライドさせて挿入係合される。
【００１７】
図２（Ｂ）は、このようにして装飾部材１３がごみ箱１に装着された状態の全体斜視図である。装飾部材１３における装飾部３３Ｆには、種々の写真、模様、表示用語等が施される。また、装飾部３３Ｆを透明または半透明からなるシートにより２重に構成してこれらシート間に写真、模様、表示用語等を付したフィルム体を挿入・収納するように構成することもできる。かくして、ごみ箱１前面の装飾効果を向上させて、ごみ箱の分別ごみ識別機能を向上するとともに、把手機能を付加することもできる。
【実施例３】
【００１８】
図３は本発明の装飾ごみ箱の第３実施例を示すもので、ごみ箱の全体分解斜視図および要部断面図ならびに装飾シートの斜視図である。図３（Ａ）に示すように、ごみ収納穴５を形成して上方が開放された適宜形状のごみ箱１は、上部フランジ２と下部フランジ３間に胴部４が形成されて構成される。図示に示した例では、ごみ箱１の平面視形状は円形であるが、楕円形あるいは多角形さらには方形であってもよい。図４に示すように、上部フランジ２および下部フランジ３に対して胴部４の径はδだけ小さく形成されている。段差δは、少なくとも後述する装飾シート１３の厚み分に相当する。装飾シート１３をごみ箱１の胴部４に添設して巻き付けた際に、その両端部に連結された端部棒１１、１２が係止される集結部７が設置される。該集結部７はごみ箱１すなわち胴部４に別体にて設置されてもよいし、ごみ箱１と一体にて成形されてもよい。ごみ箱１の下部には、前記ごみ収納穴５の上部と整合してこれに嵌合される平面視形状の下部連結部６が形成される。
【００１９】
上部フランジ１の上下幅を広く形成してごみ投入口を穿設すれば、ごみ箱１自体を上下に積層することは可能であるが、後述する図４に示すように、ごみ投入枠体２０を介在させてごみ箱１を上下に積層する場合には、前記ごみ箱１の下部連結部６をごみ収納穴５の上部と整合させる必要はなく、ごみ投入枠体２０の連結穴２３と整合させればよい。ごみ投入枠体２０の下部連結部２２がごみ箱１のごみ収納穴５と整合すればよい。
【００２０】
図３（Ａ）に戻って、ごみ箱１の胴部４に設置された集結部７は胴部４から径方向外方に突出形成され、該集結部７には、所定距離をおいて対向する上下方向の一対の係止溝８、９を備えるとともに、これら一対の係止溝８、９には、それぞれ装飾シート１３の両端部に連結された端部棒１１、１２が係止されるように構成される。図示の例では、前記係止溝８、９は半円弧断面を呈しており、これに整合して嵌合係止される端部棒１１、１２の断面は円形であるが、これら両者の断面は、互いに整合すれば非円形にすることもできる。その際は、後述する押え板１４は、その集結部７への挿入によって端部棒１１、１２を係止溝８、９から離脱不能にする断面構成とされる。
【００２１】
装飾シート１３における両端部の端部棒１１、１２の集結部７における係止溝８、９への嵌合係止後に、押え板１４が上方から嵌合挿入される。押え板１４は集結部７の係止溝８、９間の形状に適合してやや湾曲形状を呈する。押え板１４の両端部には、端部棒１１、１２の断面に適合する押え溝１５、１６が形成されていて、押え板１４の上方からの挿入により、端部棒１１、１２の存在によって押え板１４自体の前方への離脱が効果的に阻止される。この状態の要部断面を示したものが図３（Ｂ）である。押え溝１５、１６の上部にはばね部材１７（押え溝１５側は図示省略）が設置されており、端部棒１１、１２に対してばね付勢することで、押え板１４の端部棒１１、１２への係止固定を確実にして、万一の押え板１４の上方への離脱を抑制する。集結部７の係止溝８、９間には底部１０が形成され、端部棒１１、１２および押え板１４の落下が防止される。
【００２２】
装飾シート１３は種々の写真や紋様、表示用語等にて装飾した１枚のシート状体から構成することもできるが、図３（Ｃ）に示すように、前記装飾シート１３を透明または半透明からなるシート１３Ａ、１３Ｂにより２重に構成するとともに、これらシート間に写真、模様、表示用語等を付したフィルム体を挿入・収納することもできる。そのような構成により、装飾シート１３Ａ、１３Ｂそのものは交換しなくても、それらの間に挿入・収納される写真、模様、表示用語等を付したフィルムのみを交換するだけで、その装飾機能を限りなく広げることができる。
【００２３】
前記押え板１４の表面には、写真、模様、表示用語、係着テープ等が貼着される。表示用語等を施した場合は、分別のために使用する際のごみの内容物の種類を表示することができる。係着テープ１８（例えば雌係着テープ）を施した場合は、対応位置の既設壁面等に貼着した雄係着テープ１９と係着して、ごみ箱１の安定設置に寄与せしめることが可能となる。かくして、前記装飾シート１３における装飾・表示機能に加えてさらなる装飾機能と表示機能を付加することができる。
【００２４】
図４はごみ箱の上下積層形態例の側面図である。装飾シート１３を省略して図示しているごみ箱１は、上下のフランジ２、３と、これらの間に位置する胴部４および該胴部４に設置された集結部７とから構成される。点線はごみを収納するごみ収納穴５である。下部フランジ３の下部には下部連結部６が突出形成される。上部に積層されるごみ箱１の下方には、ごみ投入枠体２０を介して、同じ規格のごみ箱１が設置される。ごみ投入枠体２０には、上下に貫通する連結孔２３が形成されるとともに、外周面の一部にはごみ投入口２１、２１が穿設され、下部には下部連結部２２が形成される。
【００２５】
ごみ投入枠体２の下部連結部２２は、下部に積層されるごみ箱１のごみ収納穴５の上部に整合して連結される。ごみ投入枠体２０の連結孔２３の上部には、前記上部に積層されるごみ箱１の下部連結部６が整合して連結される。前述したように、上部フランジ２および下部フランジ３に対して胴部４の径をδだけ小さく形成する。該段差δは、少なくとも装飾シート１３の厚み分に相当する。該段差δの存在により、装飾シート１３をごみ箱１の胴部４に添設して巻き付けた際に、上下の動きが規制されて、確実かつ正確に装飾シート１３をごみ箱の胴部４にセットすることができる。
【００２６】
このように構成したので、ごみ投入口が側面等に形成されていない規格・形式のごみ箱１であっても、ごみ投入口２１を形成したごみ投入枠体２０を介して、これらごみ箱１、１を上下に積層することが可能となる。これら上下に積層されたごみ箱１、１における各押え板１４や各装飾シート１３の装飾や表示機能を適宜選定して、ごみ箱１の分別すべきごみの種類を区分けすることが可能となる。
【実施例４】
【００２７】
図５は本発明の装飾ごみ箱の第４実施例を示す平面図および側面図である。図３の前記第１実施例のものは、集結部７が胴部４の一部に１つだけ設置されていた言わば全周タイプであるのに対して、本実施例のものは、集結部７が胴部４の対向する位置に２つ設置された半周タイプの実施例である。図５（Ａ）に示すように、一対の集結部７Ａ、７Ｂが胴部４の直径の対向する位置に２つ設置される。それぞれの集結部７Ａ、７Ｂには、対向して配置される第１および第２係止溝８、９が形成される。前記第１実施例のものと同様に、集結部７Ａ、７Ｂの係止溝８、９に装飾シート１３における端部棒１１、１２（図示省略）が係止された後に、押え板１４が挿入される。
【００２８】
押え板１４は、ごみ箱１を併置して連結する際に使用される、雌連結片２４Ａを配設・設置した雌押え板１４Ａと、雄連結片２４Ｂを配設・設置した雄押え板１４Ａとの２種類が準備されて、それぞれが前記対向する一対の集結部７Ａ、７Ｂに挿入係止される。図５（Ｂ）は一対の集結部７Ａ、７Ｂが対向して配設された状態を側面図で示している。このように構成したので、複数のごみ箱１の併置しての横方向の積層を可能にし、前述の上下方向の積層と相まって、ごみの分別の種類が格段に増大する。その際には、前記押え板１４に施される装飾や表示機能に加えて、装飾シート１３による装飾・表示機能が充分に発揮される。
【実施例５】
【００２９】
図６は本発明の装飾ごみ箱の第５実施例を示す要部斜視図である。前記第１および第２実施例のものが押え板１４を上方から集結部７に挿入するのに対して、本実施例のものでは、押え板１４を集結部７の前方から挿入するものである。押え板１４の両側の端部には第１および第２押え溝１５、１６が形成され、集結部７の第１および第２係止溝８、９に嵌合・係止された装飾シート１３の端部棒１１、１２を押さえてその動きを規制する。押え板１４の内面側には上下一対の係着突起２５、２５が突設され、集結部７の表面の対応位置に形成された係着穴２６、２６に係止して固定される。これにより、ごみ箱１の胴部４に添設して巻き付けられた装飾シート１３（いずれも図３参照）を確実に装着することができる。
【００３０】
以上、本発明の実施例について説明してきたが、本発明の趣旨の範囲内にて、上方が開放されたごみ箱の形状（ストレートの円筒形や方形筒状の他、上方に末広がりの逆円錐形状や逆角錐形状等でもよい。平面視形状も、楕円形や多角形でもよい。その場合は、それらの胴部に対応する装飾シートの展開形状および集結部の形状も対応して設計される）、形式およびその材質（鋼板、アルミ等の金属、プラスチック、木材等）、装飾部材の形状（前記ごみ箱の形状に適合してごみ箱を重畳して収容する形態にて重合される形状および鍔部による係合形態も適宜採用され得る。あるいはごみ箱の前面に設置されるものでは、ごみ箱側面の溝等への係合形態や把手部材の形状等）、形式および材質（重合形式の場合は、シリコンゴムの他、適宜の透明あるいは半透明の素材が採用される。前面装着形式の場合は、比較的硬質で彩色などが施し易い素材が採用される）、装飾シートの形状（通常は方形等であるが、逆円錐形状や逆角錐形状の胴部に対応させて適宜形状の展開形状が採用され得る）、形式（透明、半透明等）およびその材質（ビニール、布、適宜の樹脂フィルム、紙等）、装飾シートの両端部に連結される端部棒の形状（円形断面形状の他、楕円、角形等の適宜形状が採用され得る）、形式および材質（木、合成樹脂、竹、金属等）、ならびに装飾シートの端部棒への連結形態（接着、袋装着等）、係止溝の断面形状等を含む集結部の形状、形式および材質（胴部と同質材による一体成形の他、適宜素材により胴部と別部材のものを接着等により固定してもよい）ならびにその胴部への設置形態（一体成形、接着、ビス止め等）等については適宜選定できる。
【００３１】
また、フランジと胴部との段差形態（集結部を除く両者の全周にて段差を形成させてもよいが、装飾シートの上下にずれを生じさせなければ、円周上の適宜の複数箇所にてフランジ部を径方向に突出させるだけでもよい）、押え板の形状（集結部の表面形状に適合する曲率で湾曲させるのを好適とするが、平板状でもよい。端部棒の断面形状に整合してその動きを抑制する押え溝の断面形状についても、端部棒の断面形状に対応させて、円弧形状の他、楕円、角形等の適宜の形状とされる）、形式および材質（合成樹脂、板、金属板等）ならび設置される写真、模様、表示用語、係着テープ等の種類、係着される対象物（既設の壁面、分別ごみ箱の側面等）、２枚の透明シート等間に挿入・収納される写真、模様、表示用語等を付したフィルム体の形状、形式等、ごみ箱を併置するために押え板に設置される横連結片の形状、形式（雌雄連結、ホック連結、係着テープによる係着等）およびその材質、ごみ箱の上下積層形態（ごみ箱の下部連結部に代えて、下部フランジを径大として下部に積層されるごみ箱の上部フランジまたは投入枠体の上部を嵌合するように構成してもよい）、ごみ投入枠体の形状、形式およびその材質等についても適宜選定できる。
【図面の簡単な説明】
【００３２】
【図１】本発明の装飾ごみ箱の第１実施例を示すもので、ごみ箱の全体分解斜視図および要部断面図である。
【図２】本発明の装飾ごみ箱の第２実施例を示すもので、ごみ箱の全体分解斜視図および全体組立斜視図である。
【図３】本発明の装飾ごみ箱の第３実施例を示すもので、ごみ箱の全体分解斜視図および要部断面図ならびに装飾シートの斜視図である。
【図４】同、ごみ箱の上下積層形態例の側面図である。
【図５】本発明の装飾ごみ箱の第４実施例を示す平面図および側面図である。
【図６】本発明の装飾ごみ箱の第５実施例を示す要部斜視図である。
【図７】従来のごみ箱を示す正面図である。
【符号の説明】
【００３３】
１      ごみ箱
２      上部フランジ
２Ａ    垂下鍔部
５      ごみ収納穴
１３      装飾部材
１３Ａ    外周鍔部
１３Ｂ    内周鍔部
１３Ｃ    係合周溝
１３Ｄ    ごみ箱収納部
【図１】
2007091355.tif 000003
【図２】
2007091355.tif 000004
【図３】
2007091355.tif 000005
【図４】
2007091355.tif 000006
【図５】
2007091355.tif 000007
【図６】
2007091355.tif 000008
【図７】
2007091355.tif 000009